(57)【要約】      （修正有）【課題】複数の容器を梱包するに適したパッケージを提供する。【解決手段】複数の容器２を整列状態で梱包するためのパッケージ１において、基部３Ｂとその基部３Ｂに対して折り曲げ線ＢＬに沿って開閉操作可能な一対の可動部３Ｒとが一体成形された樹脂製の一対の本体３を設け、可動部３Ｒのそれぞれには、閉状態のときに互いに密着する接合部５と、閉状態のときにパッケージの上部１ｂに位置する持ち手部６と、閉状態のときに持ち手部６よりも下方に位置し、かつ接合部５よりも外側に膨らんで複数の容器２を整列状態で収容する収容空間を基部３Ｂ上に生じさせる収容部７とを設け、基部３Ｂには、同一構造を有する他のパッケージ１の持ち手部６を含む上部領域ＵＳを受け入れ可能な空隙部を設ける。【選択図】図１
0003222010.tif 000002
【実用新案登録請求の範囲】
【請求項１】
複数の容器を整列状態で梱包するためのパッケージであって、
前記パッケージの底部に位置して前記複数の容器が置かれる基部、及び前記基部に対して折り曲げ線に沿って曲げられることにより開状態と閉状態との間で操作可能な一対の可動部とが一体で成形された樹脂製の本体を有し、
前記一対の可動部のそれぞれには、
前記閉状態のときに互いに密着する接合部と、
前記閉状態のときにパッケージの上部に位置する持ち手部と、
前記閉状態のときに前記持ち手部よりも下方に位置し、前記接合部よりも外側に膨らんで前記複数の容器を整列状態で収容する収容空間を前記基部上に生じさせる収容部とが設けられ、
前記基部には、同一構造を有する他のパッケージの前記持ち手部を含む上部領域を受け入れ可能な空隙部が設けられている容器のパッケージ。
【請求項２】
前記収容部のそれぞれの上端面の少なくとも一部には、前記他のパッケージを上方に積み重ねたときに当該他のパッケージの前記基部を支持する平坦な支持面が設けられている請求項１に記載の容器のパッケージ。
【請求項３】
一方の可動部における前記接合部には嵌合凸部が、他方の可動部における前記接合部には前記嵌合凸部が嵌合可能な嵌合凹部がそれぞれ設けられている請求項１又は２に記載の容器のパッケージ。
【請求項４】
前記本体には、前記収容空間に収容された各容器を整列状態に保持するための容器保持部が形成されている請求項１〜３のいずれか一項に記載の容器のパッケージ。
【請求項５】
前記基部には、前記容器保持部として、各容器が挿入される凹部が設けられている請求項４に記載の容器のパッケージ。
【請求項６】
前記一対の可動部のそれぞれには、前記容器保持部として、各容器間の隙間に入り込むようにして前記収容空間に突出する突起部が設けられている請求項４又は５に記載の容器のパッケージ。
【請求項７】
前記一対の可動部のそれぞれには、前記折り曲げ線と直交する方向に広がる壁部が設けられている請求項１〜６のいずれか一項に記載の容器のパッケージ。
【請求項８】
前記本体は、前記複数の容器の少なくとも一部を視認可能な透過部を有している請求項１〜７のいずれか一項に記載の容器のパッケージ。
【考案の詳細な説明】
【技術分野】
【０００１】
本考案は複数本の容器を梱包するためのパッケージに関する。
【背景技術】
【０００２】
各種の商品を梱包するためのパッケージとして、樹脂製のシートに設けられた膨らみ部分に商品を収容し、そのシートを台紙に貼り付けて商品を密封するいわゆるブリスターパックが知られている（例えば特許文献１〜３参照）。
【先行技術文献】
【特許文献】
【０００３】
【特許文献１】特開２０１６−１８２９６０号公報
【特許文献２】特開２０１０−７６７６７号公報
【特許文献３】特開昭５４−１２７７９５号公報
【考案の概要】
【考案が解決しようとする課題】
【０００４】
上述した特許文献１〜３に開示されているように、従来のブリスターパックは、商品を吊り下げて展示するといった用途に適合するように、樹脂シートを台紙上に固定した構造を有している。したがって、複数本の缶飲料等の容器群を梱包し、陳列するような用途には適してない。
【０００５】
そこで、本考案は、複数の容器を梱包するに適したパッケージを提供することを目的とする。
【課題を解決するための手段】
【０００６】
本考案の一態様に係る容器のパッケージ（１）は、複数の容器（２）を整列状態で梱包するためのパッケージであって、前記パッケージの底部（１ａ）に位置して前記複数の容器が置かれる基部（３Ｂ）、及び前記基部に対して折り曲げ線（ＢＬ）に沿って曲げられることにより開状態と閉状態との間で操作可能な一対の可動部（３Ｌ、３Ｒ）とが一体で成形された樹脂製の本体（３）を有し、前記一対の可動部のそれぞれには、前記閉状態のときに互いに密着する接合部（５）と、前記閉状態のときにパッケージの上部（１ｂ）に位置する持ち手部（６）と、  前記閉状態のときに前記持ち手部よりも下方に位置し、前記接合部よりも外側に膨らんで前記複数の容器を整列状態で収容する収容空間を前記基部上に生じさせる収容部（７）とが設けられ、前記基部には、同一構造を有する他のパッケージの前記持ち手部を含む上部領域（ＵＳ）を受け入れる空隙部（１０）が設けられたものである。
【０００７】
上記態様のパッケージによれば、可動部を開状態に操作して複数の容器を基部上に配置し、その後に可動部を閉状態に操作することにより、それらの容器を整列状態で梱包することができる。パッケージの底部に位置する基部は複数の容器を置くために必要な広さに形成されるため、その基部を底にしてパッケージを据え置くことが可能である。基部には空隙部が設けられているので、同一構造の他のパッケージの上部領域をその空隙部内に挿入すれば、複数のパッケージを上下方向に積み重ねて展示し、あるいは陳列することができる。それにより、複数の容器を梱包するに適したパッケージを提供することが可能である。
【０００８】
上記態様のパッケージにおいて、前記収容部のそれぞれの上端面（７ａ）の少なくとも一部には、前記他のパッケージを上方に積み重ねたときに当該他のパッケージの前記基部を支持する平坦な支持面が設けられてもよい。この場合には、上段のパッケージの基部を下段のパッケージの支持面で受けることにより、複数のパッケージを上下方向により安定的に積み重ねることが可能である。
【０００９】
上記態様のパッケージにおいて、一方の可動部（３Ｒ）における前記接合部には嵌合凸部（１２）が、他方の可動部（３Ｌ）における前記接合部には前記嵌合凸部が嵌合可能な嵌合凹部（１３）がそれぞれ設けられてもよい。パッケージを閉じるときに嵌合凸部と嵌合凹部とを互いに嵌合させることにより、パッケージを開く操作に対して適度な抵抗を生じさせ、それにより、パッケージを適度な力で閉状態に保持し、パッケージの意図しない開封を防止することができる。嵌合凸部を嵌合凹部に挿入し、あるいは嵌合凸部を嵌合凹部から脱出させるだけでパッケージを開閉できるので、開閉に要する操作が複雑化するおそれがなく、パッケージを手際よく開閉することが可能である。
【００１０】
上記態様のパッケージにおいて、前記本体には、前記収容空間に収容された各容器を整列状態に保持するための容器保持部（８、９）が形成されてもよい。さらに、前記基部には、前記容器保持部として、各容器の底部が挿入される凹部（８）が設けられ、あるいは、前記一対の可動部のそれぞれには、前記容器保持部として、各容器間の隙間に入り込むようにして前記収容空間に突出する突起部（９）が設けられてもよい。容器保持部を設けることにより、収容空間内における容器の安定性を高めることが可能である。凹部や突起部といった構造部を本体に設けることにより、パッケージに適度な凹凸を付与してパッケージの剛性を高めることも可能である。それにより、パッケージの耐荷重性を高めることができる。
【００１１】
上記態様のパッケージにおいて、前記可動部のそれぞれには、前記折り曲げ線と直交する方向に広がる壁部（１５）が設けられてもよい。この場合、壁部によってパッケージがその底部から上部に亘って補強され、パッケージの剛性が高められる。パッケージを開閉する際に壁部を掴んで本体を操作することにより、パッケージを比較的容易に開閉することも可能である。
【００１２】
上記態様のパッケージにおいて、前記本体は、前記複数の容器の少なくとも一部を視認可能な透過部を有していてもよい。これによれば、内部に収容された容器の少なくとも一部を外部から視認可能とし、パッケージの視覚的効果を高めることができる。
【００１３】
なお、以上の説明では本考案の理解を容易にするために添付図面の参照符号を括弧書きにて付記したが、それにより本考案が図示の形態に限定されるものではない。
【図面の簡単な説明】
【００１４】
【図１】本考案の一形態に係るパッケージの斜視図。
【図２】パッケージの開状態における平面図。
【図３】パッケージの開状態における側面図。
【図４】パッケージの閉状態における側面図。
【考案を実施するための形態】
【００１５】
以下、添付図面を参照して本考案の一形態に係るパッケージを説明する。図１に示すように、パッケージ１は、複数の容器の一例としての複数本（図示例では１０本）の飲料缶２を５本ずつ二列に整列させた状態で梱包するように構成されている。図１は、一列の飲料缶２を破線で示すが、その背後には飲料缶２がもう一列並べられている（図３参照）。パッケージ１は、内部に収容された飲料缶２を外部から視認することができるように、その全体が透明な樹脂にて構成されている。それにより、パッケージ１はその全体が内部の飲料缶２を視認可能な透過部として構成されている。なお、飲料缶２の上部には、広告効果等を発揮させるためのボードＢＤがさらに配置される。ただし、ボードＢＤは省略されてもよい。
【００１６】
図２はパッケージ１をほぼ全開した状態を示している。パッケージ１は、パッケージ１の底部１ａに位置して各飲料缶２が置かれる基部３Ｂと、基部３Ｂに対して折り曲げ線ＢＬに沿って曲げられることにより、閉状態（図１及び図４）と開状態（図２及び図３）との間で操作可能な一対の可動部３Ｌ、３Ｒとが一体に成形された透明樹脂製の本体３を有している。基部３Ｂと可動部３Ｌ、３Ｒとは、折り曲げ線ＢＬを境界として互いに連続するように樹脂素材を用いて一体に成形されている。折り曲げ線ＢＬはパッケージ１における飲料缶２の並び方向と一致する。以下では、折り曲げ線ＢＬの方向をパッケージ１の長手方向と呼ぶことがある。
【００１７】
基部３Ｂは、パッケージ１を据え置くことができるように十分な面積を有している。一方、可動部３Ｌ、３Ｒのそれぞれには、接合部５と、持ち手部６と、収容部７とが設けられている。接合部５は、可動部３Ｌ、３Ｒを閉状態に操作してパッケージ１を閉じたとき（以下、その状態をパッケージ１の閉状態と呼ぶことがある。）に、その上部１ｂ及び長手方向両側部１ｃに沿って互いに密着するように設けられている。持ち手部６は、パッケージ１の上部１ｂの中央にて接合部５よりも外側に膨らむように形成されている。持ち手部６には、パッケージ１の利用者等が指を掛けるための凹部６ａが形成されている。
【００１８】
収容部７は、パッケージ１が閉状態のときに持ち手部６よりも下方に位置し、かつ接合部５よりも外側に膨らむように形成されている。収容部７のそれぞれは、パッケージ１を閉状態にしたときに、飲料缶２を整列状態で収容する収容空間ＡＳを基部３Ｂ上に生じさせるように構成されている。
【００１９】
基部３Ｂには、収容空間ＡＳに収容された各飲料缶２を整列状態に保持するための容器保持部の一例として、各飲料缶２の底部が挿入される凹部としての保持穴８（図では一部のみ代表して参照符号を付してある。）が設けられている。また、収容部７には、保持穴８に挿入された飲料缶２同士の隙間に入り込むようにして収容空間ＡＳ内に突出する複数の突起部９が、パッケージ１の上下方向に直線的に延びるように形成されている。これらの突起部９も、飲料缶２を整列状態に保持する容器保持部の一例として機能する。これらの保持穴８及び突起部９により、パッケージ１に収容された飲料缶２の安定性を高めることができる。また、パッケージ１に適度な凹凸が付与されることによりパッケージ１の剛性を高め、それにより、複数本の飲料缶２の自重に対する耐荷重性をパッケージ１に比較的容易に与えることができる。
【００２０】
図３及び図４から明らかなように、基部３Ｂには、上方に向かって後退するようにして空隙部１０が設けられている。空隙部１０は、同一構造の他のパッケージ１の持ち手部６を含む上部領域ＵＳを受け入れ可能な大きさに形成される。空隙部１０は下方に向かって開口し、かつパッケージ１の長手方向の全長に亘って延ばされている。なお、基部３Ｂの保持穴８に対応する部分はパッケージ１の底部１ａ側に突出し、それによりパッケージ１を据え置いたときの接地部となる脚部１１が基部３Ｂに形成されている（図３及び図４参照）。
【００２１】
一方、図１及び図４から明らかなように、収容部７の上端面７ａ（図１及び図４参照）は、持ち手部６の形成箇所を除いて概ね平坦面状に形成されている。その上端面７ａは、パッケージ１が閉状態にあるときに概ね水平である。したがって、同一構造の複数のパッケージ１を上下方向に積み重ねた場合、下段のパッケージ１の上部領域ＵＳがその持ち手部６を含めて空隙部１０に入り込んで上段のパッケージ１（すなわち、上方に積み重ねられる他のパッケージ１）の脚部１１が下段のパッケージ１の上端面７ａにて支持される。それにより、収容部７の上端面７ａの全体を上段の他のパッケージ１を支持する支持面として機能させつつ、複数のパッケージ１を上下方向に安定的に積み重ねることが可能である。
【００２２】
図２及び図３に示すように、一方の可動部３Ｒにおける接合部５には複数（図示例では４個）の嵌合凸部１２が設けられ、他方の可動部３Ｌにおける接合部５には嵌合凸部１２が嵌合可能でかつ嵌合凸部１２と同数の嵌合凹部１３が設けられている。一例として、嵌合凸部１２は円筒状に形成され、嵌合凹部１３は角筒状に形成されている。パッケージ１を閉じたとき、嵌合凸部１２は嵌合凹部１３に嵌合する。嵌合凸部１２と嵌合凹部１３とは、パッケージ１を開く操作に対して適度な抵抗が生じるように、幾らかの弾性変形を伴って相互に嵌合するように設けられている。それにより、パッケージ１を適度な力で閉状態に保持し、パッケージ１の意図しない開封を防止することができる。嵌合凸部１２を嵌合凹部１３に挿入し、あるいは嵌合凸部１２を嵌合凹部１３から脱出させるだけでパッケージ１を開閉できるので、開閉に要する操作が複雑化するおそれがなく、パッケージ１を手際よく開閉することが可能である。
【００２３】
図３及び図４に示すように、可動部３Ｌ、３Ｒのそれぞれの長手方向における両端部１ｃには、側方から見て概ね三角形状の端壁１５が形成されている。端壁１５は、折り曲げ線ＢＬと直交する方向に広がる壁部の一例である。端壁１５と収容部７との間には隙間ＣＬが設けられている。端壁１５が設けられることにより、補強効果を有する壁部が形成されてパッケージ１の剛性が高められる。また、パッケージ１を開閉する際に端壁１５を掴んで可動部３Ｌ、３Ｒを操作することが可能である。それにより、パッケージ１の開閉操作を容易に行うことができる。図３及び図４から明らかなように、端壁１５には、パッケージ１を開くときの操作方向をユーザに示すための指標部１６が設けられている。指標部１６は、一例として、矢印状のマーク１６ａと「ＯＰＥＮ」の文字列１６ｂとを含んでいる。
【００２４】
以上の形態のパッケージ１によれば、複数本の飲料缶２を外部から視認可能でかつ整列した状態で安定的に収容することができる。基部３Ｂ及び可動部３Ｌ、３Ｒが一体成形された本体３に接合部５、持ち手部６、収容部７等の構成要素を設けることによりパッケージ１を構成することができるので、その製造が比較的容易であり、低コストでパッケージ１を提供することができる。可動部３Ｌ、３Ｒを折り曲げ線ＢＬに沿って操作するだけで飲料缶２の収容、及び取り出しが可能となるので、飲料缶２の梱包及び開封も容易である。さらに、複数のパッケージ１を上下方向に安定的に積み重ねることができるので、複数本の飲料缶２の展示、陳列に好都合である。
【００２５】
本考案は上述した形態に限ることなく、種々の変形又は変更が施された形態にて実施されてよい。例えば、パッケージ１はその全体が透明樹脂にて構成されることを必ずしも要しない。飲料缶２等の容器を外部から視認させる必要がない場合には不透明な樹脂にてパッケージ１を構成してもよい。容器を外部から視認させる必要がある場合でも、例えば二色成形といった手法を用いることにより、可動部３Ｌ、３Ｒの少なくとも一部にその必要性に応じて透過部が設けられてもよい。
【００２６】
上記の形態では、収容部７の上端面７ａを持ち手部６の形成箇所を除いてほぼ全面的に平坦な支持面として機能させたが、支持面は、上段のパッケージ１を安定的に支持できる限りにおいて、上端面７ａの少なくとも一部に設けられていればよい。嵌合凸部１２及び嵌合凹部１３による嵌合構造に代えて、又は加えて、パッケージ１を閉状態に拘束する留め具その他の拘束手段が設けられてもよい。持ち手部６は接合部５から外側に膨らむように設けられる例に限らない。例えば、利用者が指を入れるための抜き穴が持ち手部として形成されてもよい。
【００２７】
保持穴８及び突起部９等の容器保持部は必ずしも設けられなくともよい。例えば、飲料缶２等の容器を結束バンドその他の結束手段にて整列状態で結束し、その結束された容器群を収容空間ＡＳに収容してもよく、その場合には容器保持部が省略可能である。パッケージ１に必要な剛性が確保できる場合には、端壁１５等の壁部が省略されてもよい。本考案に係るパッケージに収容される容器は飲料缶２に限らない。壜その他の容器群を収容する用途に適合するようにパッケージが構成されてもよい。容器は飲料を収容する例に限らない。
【符号の説明】
【００２８】
１  パッケージ
１ａ  底部
１ｂ  上部
１ｃ  両側部
２  飲料缶（容器）
３  本体
３Ｂ  基部
３Ｌ、３Ｒ  可動部
５  接合部
６  持ち手部
７  収容部
７ａ  上端面
７ｂ  側壁
８  保持穴（容器保持部、凹部）
９  突起部（容器保持部）
１０  空隙部
１１  脚部
１２  嵌合凸部
１３  嵌合凹部
１５  端壁（壁部）
ＡＳ  収容空間
ＢＬ  折り曲げ線
ＵＳ  上部領域
【図１】
0003222010.tif 000003
【図２】
0003222010.tif 000004
【図３】
0003222010.tif 000005
【図４】
0003222010.tif 000006